(57)【要約】【課題】ログインせずにカラオケ歌唱を行った利用者が、歌唱履歴を閲覧することを可能とするカラオケシステムを提供する。【解決手段】利用者が滞在している一のカラオケ店舗を特定する第１の特定部、利用者が一のカラオケ装置を利用中にカラオケ演奏された楽曲の演奏リストを生成する生成部、一のカラオケ店舗が特定できなくなった場合、当該一のカラオケ店舗に設置されている複数のカラオケ装置に対し、歌唱履歴を送信するよう指示する指示部、受信した複数の歌唱履歴の中から、演奏リストと一致する一の歌唱履歴を特定する第２の特定部、特定した一の歌唱履歴を、利用者の携帯端末に転送する転送部を有するカラオケシステム。【選択図】図８
2020086314.tif 000002
【特許請求の範囲】
【請求項１】
カラオケ装置とサーバ装置とが通信可能に接続されたカラオケシステムであって、
前記カラオケ装置は、
カラオケ演奏された楽曲を識別するための楽曲識別情報と、カラオケ歌唱を行った演奏時刻を含む時間情報と、当該カラオケ演奏に伴うカラオケ歌唱を評価した採点結果とを含む歌唱履歴を記憶させる履歴処理部を有し、
前記サーバ装置は、
利用者が所有する携帯端末で取得された、当該利用者の所在を示す利用者位置情報に基づいて、当該利用者が滞在している一のカラオケ店舗を特定する第１の特定部と、
前記携帯端末で集音されたカラオケ演奏音に基づいて、カラオケ演奏中の楽曲を順次特定し、前記利用者が一のカラオケ装置を利用中にカラオケ演奏された楽曲の演奏リストを生成する生成部と、
前記一のカラオケ店舗が特定された後に、前記第１の特定部により、当該一のカラオケ店舗が特定できなくなった場合、当該一のカラオケ店舗に設置されている複数のカラオケ装置に対し、前記演奏リストに含まれる最初の楽曲のカラオケ歌唱の時間情報が示す演奏時刻以降に記憶された歌唱履歴を送信するよう指示する指示部と、
受信した複数の歌唱履歴の中から、前記演奏リストと一致する一の歌唱履歴を特定する第２の特定部と、
特定した前記一の歌唱履歴を、前記利用者の携帯端末に転送する転送部と、
を有するカラオケシステム。
【請求項２】
前記カラオケシステムは、前記携帯端末を含み、
前記携帯端末は、
前記利用者から前記歌唱履歴の閲覧を要求する旨の操作入力を受けた場合、利用者位置情報が示す位置とは異なる位置を示す所定の位置情報を前記サーバ装置に送信する送受信処理部を有することを特徴とする請求項１または２記載のカラオケシステム。
【請求項３】
前記生成部は、前記携帯端末で集音された利用者のカラオケ歌唱音から声紋情報を取得し、特定された楽曲毎に関連付けて前記演奏リストを生成し、
前記一の歌唱履歴は、前記声紋情報に基づいて利用者毎にまとめられていることを特徴とする請求項１または２記載のカラオケシステム。
【請求項４】
カラオケ装置とサーバ装置とが通信可能に接続されたカラオケシステムであって、
前記サーバ装置は、
利用者が所有する携帯端末で取得された、当該利用者の所在を示す利用者位置情報に基づいて、当該利用者が滞在している一のカラオケ店舗を特定する第１の特定部と、
前記携帯端末で集音されたカラオケ演奏音に基づいて、カラオケ演奏中の楽曲を順次特定し、前記利用者が一のカラオケ装置を利用中にカラオケ演奏された楽曲の演奏リストを生成する生成部と、
前記一のカラオケ店舗が特定された後に、前記第１の特定部により、当該一のカラオケ店舗が特定できなくなった場合、当該一のカラオケ店舗に設置されている複数のカラオケ装置に対して前記演奏リストを送信するリスト送信部と、
を有し、
前記カラオケ装置は、
カラオケ演奏された楽曲を識別するための楽曲識別情報と、当該カラオケ演奏に伴うカラオケ歌唱を評価した採点結果とを含む歌唱履歴を記憶させる履歴処理部と、
受信した前記演奏リストと一致する一の歌唱履歴が特定された場合、当該一の歌唱履歴を前記サーバ装置に送信する履歴送信部と、
を有し、
前記サーバ装置は、
受信した前記一の歌唱履歴を、前記利用者の携帯端末に転送する転送部を有するカラオケシステム。
【発明の詳細な説明】
【技術分野】
【０００１】
本発明はカラオケシステムに関する。
【背景技術】
【０００２】
カラオケシステムは、カラオケ装置に付属するリモコン装置や、利用者が所有するスマートフォン等を介してログインすることができる。カラオケシステムにログインすることにより、採点結果の記録や過去の採点履歴の閲覧といった様々なサービスを受けることができる。
【０００３】
特許文献１には、利用者がカラオケ歌唱を行った楽曲名やカラオケ歌唱の採点結果を、利用者の識別情報と紐付けて歌唱履歴として記憶し、利用者端末（リモコン装置）で閲覧可能な技術が開示されている。
【先行技術文献】
【特許文献】
【０００４】
【特許文献１】特開２００８−２９２８５５号公報
【発明の概要】
【発明が解決しようとする課題】
【０００５】
ところで、カラオケシステムにログインする際には利用者を識別するための利用者識別情報（利用者ＩＤ）や予め設定したパスワードの入力が必要である。一方、このような入力を煩雑であると感じる利用者や、利用者ＩＤ等を忘れてしまった利用者もいる。これらの利用者は、カラオケシステムにログインしないままカラオケ歌唱を行う。この場合、カラオケシステムが提供する様々なサービスを利用することができない。そのため、たまたま良い採点結果が得られた場合であっても、カラオケ歌唱の終了後に歌唱履歴を閲覧することができない。
【０００６】
本発明の目的は、ログインせずにカラオケ歌唱を行った利用者が、歌唱履歴を閲覧することを可能とするカラオケシステムを提供することにある。
【課題を解決するための手段】
【０００７】
上記目的を達成するための一の発明は、カラオケ装置とサーバ装置とが通信可能に接続されたカラオケシステムであって、前記カラオケ装置は、カラオケ演奏された楽曲を識別するための楽曲識別情報と、カラオケ歌唱を行った演奏時刻を含む時間情報と、当該カラオケ演奏に伴うカラオケ歌唱を評価した採点結果とを含む歌唱履歴を記憶させる履歴処理部を有し、前記サーバ装置は、利用者が所有する携帯端末で取得された、当該利用者の所在を示す利用者位置情報に基づいて、当該利用者が滞在している一のカラオケ店舗を特定する第１の特定部と、前記携帯端末で集音されたカラオケ演奏音に基づいて、カラオケ演奏中の楽曲を順次特定し、前記利用者が一のカラオケ装置を利用中にカラオケ演奏された楽曲の演奏リストを生成する生成部と、前記一のカラオケ店舗が特定された後に、前記第１の特定部により、当該一のカラオケ店舗が特定できなくなった場合、当該一のカラオケ店舗に設置されている複数のカラオケ装置に対し、前記演奏リストに含まれる最初の楽曲のカラオケ歌唱の時間情報が示す演奏時刻以降に記憶された歌唱履歴を送信するよう指示する指示部と、受信した複数の歌唱履歴の中から、前記演奏リストと一致する歌唱履歴を特定する第２の特定部と、抽出した前記新たな歌唱履歴を、前記利用者の携帯端末に転送する転送部と、を有するカラオケシステムである。
本発明の他の特徴については、後述する明細書及び図面の記載により明らかにする。
【発明の効果】
【０００８】
本発明によれば、ログインせずにカラオケ歌唱を行った利用者が、歌唱履歴を閲覧することを可能とする。
【図面の簡単な説明】
【０００９】
【図１】第１実施形態に係るカラオケシステムの概略を示す図である。
【図２】第１実施形態に係る携帯端末を示す図である。
【図３】第１実施形態に係るカラオケ装置を示す図である。
【図４】第１実施形態に係るサーバ装置を示す図である。
【図５】第１実施形態に係る住所リストを示す図である。
【図６】第１実施形態に係る演奏リストを示す図である。
【図７】第１実施形態に係る歌唱履歴を示す図である。
【図８】第１実施形態に係るカラオケシステムの処理を示すフローチャートである。
【図９】変形例２に係る演奏リストを示す図である。
【図１０】変形例２に係る歌唱履歴を示す図である。
【図１１】第２実施形態に係るサーバ装置を示す図である。
【図１２】第２実施形態に係るカラオケ装置を示す図である。
【図１３】第２実施形態に係るカラオケシステムの処理を示すフローチャートである。
【発明を実施するための形態】
【００１０】
＜第１実施形態＞
図１〜図８を参照して、第１実施形態に係るカラオケシステムについて説明する。
【００１１】
＝＝カラオケシステム＝＝
本実施形態に係るカラオケシステム１は、カラオケ装置及びサーバ装置Ｓを備える。カラオケ装置は、カラオケ店舗内の部屋に設置されている。図１の例では、カラオケ店舗Ｌ１に部屋Ｒ１〜Ｒ３が設けられており、各部屋に一のカラオケ装置（カラオケ装置Ｋ１〜Ｋ３）が設置されている。なお、図１に示したカラオケ店舗Ｌ２及びＬｎもカラオケ店舗Ｌ１と同様に部屋及びカラオケ装置（図１では記載を省略）を有する。また、図１に示したカラオケ店舗の数や、カラオケ店舗に設置されているカラオケ装置の数等は一例である。たとえば、各カラオケ店舗には少なくとも一台のカラオケ装置があればよい。
【００１２】
各カラオケ装置は、カラオケ店舗の店内ネットワーク及び外部ネットワークＮを介してサーバ装置Ｓと通信可能に接続されている。ネットワークＮは、たとえば公衆電話回線網やインターネット回線等の伝送路である。
【００１３】
カラオケ装置は、楽曲のカラオケ演奏、及び利用者がカラオケ歌唱を行うための装置である。サーバ装置Ｓは、各カラオケ装置に関する各種情報や各カラオケ装置から送信される情報を管理するコンピュータである。
【００１４】
ここで、図１では、部屋Ｒ１に利用者Ｕ１及び利用者Ｕ２が滞在している例を示している。各利用者は、部屋Ｒ１に設置されたカラオケ装置Ｋ１を利用し、カラオケ歌唱を行う。利用者Ｕ１は携帯端末Ｍ１を所有し、利用者Ｕ２は携帯端末Ｍ２を所有している。
【００１５】
携帯端末は、利用者が所有するスマートフォン等である。携帯端末は、ＧＰＳ（Ｇｌｏｂａｌ  Ｐｏｓｉｔｉｏｎｉｎｇ  Ｓｙｓｔｅｍ）や、各種情報を表示させるディスプレイ等、一般的な携帯端末に搭載されている構成・機能を有する。また、本実施形態に係る携帯端末には、カラオケシステム１を利用するための専用アプリケーションソフトウェア（以下、「カラオケアプリ」）がインストールされている。カラオケアプリは、サーバ装置Ｓや、サーバ装置Ｓが提供するＷｅｂサイトからダウンロードすることで入手できる。
【００１６】
携帯端末は、カラオケ装置とペアリングすることで通信可能となる。ペアリングは、たとえば、カラオケ装置Ｋ１が設置された部屋Ｒ１へ利用者Ｕ１が入室した後、携帯端末Ｍ１でカラオケアプリを起動させた場合に実行される。ペアリングされた後、利用者Ｕ１は、カラオケアプリを利用して、カラオケ装置Ｋ１に付属するリモコン装置と同様の操作（楽曲の予約等）を行うことができる。
【００１７】
＝＝携帯端末＝＝
図１に示した携帯端末Ｍ１及び携帯端末Ｍ２はいずれも同じ構成のため、以下携帯端末Ｍ１を例に説明する。図２に示すように、携帯端末Ｍ１は、記憶部１０、通信部１１、表示部１２、入力部１３、集音部１４、及び制御部１５を備える。各構成はインターフェース（図示なし）を介してバスＢに接続されている。
【００１８】
［記憶部、通信部、表示部、入力部、集音部］
記憶部１０は、各種のデータを記憶する大容量の記憶装置である。通信部１１は、サーバ装置Ｓとの接続を行うためのインターフェースを提供する。表示部１２は、各種情報を表示させるディスプレイである。入力部１３は、利用者が各種指示入力を行うための構成である。なお、一般的なスマートフォンでは、表示部１２がタッチパネル形式で構成されており、入力部１３として機能する。集音部１４は、携帯端末Ｍ１周辺の音（カラオケ歌唱音やカラオケ演奏音等）を集音するマイクである。
【００１９】
［制御部］
制御部１５は、携帯端末Ｍにおける各種の制御を行う。制御部１５は、ＣＰＵおよびメモリ（いずれも図示無し）を備える。ＣＰＵは、メモリに記憶されたプログラムを実行することにより各種の機能を実現する。
【００２０】
図２に示すように、制御部１５は、位置取得部１５ａ、集音処理部１５ｂ、及び送受信処理部１５ｃとして機能する。
【００２１】
（位置取得部）
位置取得部１５ａは、携帯端末Ｍ１が備えるＧＰＳを利用して、携帯端末Ｍ１の現在位置を示す位置情報を取得する。ここで、携帯端末Ｍ１は利用者Ｕ１が所有している。すなわち、携帯端末Ｍ１の現在位置を示す位置情報は、利用者Ｕ１の所在を示す位置情報（利用者位置情報）に相当する。位置取得部１５ａは、たとえば、カラオケアプリを起動させた際に位置情報の取得を行う。その後、位置取得部１５ａは、カラオケアプリの起動中、所定の時間毎にＧＰＳを利用して位置情報の取得を行う。位置取得部１５ａは、取得した位置情報を送受信処理部１５ｃに出力する。
【００２２】
（集音処理部）
集音処理部１５ｂは、集音部１４を制御し、カラオケ演奏音を集音させる。カラオケ演奏音の集音は、たとえばカラオケアプリを起動した時点で開始し、位置取得部１５ａから新たな利用者位置情報が出力されるまで（詳細は後述）、連続して行う。集音処理部１５ｂは、集音したカラオケ演奏音を送受信処理部１５ｃに出力する。
【００２３】
（送受信処理部）
送受信処理部１５ｃは、通信部１１を介し、サーバ装置Ｓとの各種情報の送受信を行う。
【００２４】
送受信処理部１５ｃは、位置取得部１５ａが取得した位置情報をサーバ装置Ｓに送信する。たとえば、送受信処理部１５ｃは、位置取得部１５ａから位置情報の入力がある都度、サーバ装置Ｓに送信することができる。送受信処理部１５ｃは、サーバ装置Ｓに対して最初に利用者位置情報を送信する際、携帯端末Ｍ１を識別するための識別情報（端末ＩＤ）を併せて送信する。
【００２５】
或いは、位置取得部１５ａは、カラオケアプリを起動させた際に取得した位置情報に対して、ある時点で取得した位置情報が閾値以上（たとえば１００ｍ以上）異なる場合のみ、当該位置情報を新たな利用者位置情報として、送受信処理部１５ｃに出力する。この場合、送受信処理部１５ｃは、新たな利用者位置情報の入力を受けたタイミングでサーバ装置Ｓに位置情報を送信する。
【００２６】
また、送受信処理部１５ｃは、集音部１４で集音されたカラオケ演奏音をサーバ装置Ｓに送信する。たとえば、送受信処理部１５ｃは、集音処理部１５ｂからカラオケ演奏音の入力がある都度、サーバ装置Ｓに送信する。一方、送受信処理部１５ｃは、新たな利用者位置情報の入力を受けた場合、カラオケ演奏音の送信を終了する。
【００２７】
更に、送受信処理部１５ｃは、サーバ装置Ｓから転送された一の歌唱履歴（後述）を受信する。
【００２８】
＝＝カラオケ装置＝＝
図１に示したカラオケ装置Ｋ１〜Ｋ３はいずれも同じ構成のため、以下カラオケ装置Ｋ１を例に説明する。図３に示すように、カラオケ装置Ｋ１は、カラオケ本体２０、スピーカ３０、表示装置４０、マイク５０、及びリモコン装置６０を備える。
【００２９】
スピーカ３０はカラオケ本体２０からの放音信号に基づいて放音するための構成である。表示装置４０はカラオケ本体２０からの信号に基づいて映像や画像を画面に表示するための構成である。マイク５０は利用者のカラオケ歌唱音声（マイク５０への入力音声）をアナログの音声信号に変換してカラオケ本体２０に入力するための構成である。リモコン装置６０は、カラオケ本体２０に対する各種操作をおこなうための装置である。利用者はリモコン装置６０を用いてカラオケ歌唱を希望する楽曲の検索や選曲（予約）等を行うことができる。リモコン装置６０の表示画面には各種操作の指示入力を行うためのアイコン等が表示される。
【００３０】
カラオケ本体２０は、選曲された楽曲のカラオケ演奏制御、歌詞や背景映像等の表示制御、マイク５０を通じて入力された音声信号の処理といった、カラオケ歌唱に関する各種の制御を行う。図３に示すように、カラオケ本体２０は、制御部２１、通信部２２、記憶部２３、音響処理部２４、表示処理部２５、及び操作部２６を備える。各構成はインターフェース（図示なし）を介してバスＢに接続されている。
【００３１】
制御部２１は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００３２】
通信部２２は、ルーター（図示なし）を介してカラオケ本体２０を通信回線に接続するためのインターフェースを提供する。
【００３３】
記憶部２３は、各種のデータを記憶する大容量の記憶装置であり、たとえばハードディスクドライブなどである。たとえば、記憶部２３は、カラオケ装置Ｋ１においてカラオケ演奏を行うための複数の楽曲（楽曲データ）を記憶する。各楽曲には、楽曲識別情報（楽曲ＩＤ）が設定されている。
【００３４】
音響処理部２４は、制御部２１の制御に基づき、楽曲に対するカラオケ演奏の制御およびマイク５０を通じて入力された歌唱音声信号の処理を行う。表示処理部２５は、制御部２１の制御に基づき、表示装置４０やリモコン装置６０における各種表示に関する処理を行う。たとえば、表示処理部２５は、カラオケ演奏時における背景映像に歌詞テロップや各種アイコンが重ねられた映像を表示装置４０に表示させる。或いは、表示処理部２５は、リモコン装置６０の表示画面に操作入力用の各種アイコンを表示させる。
【００３５】
操作部２６は、パネルスイッチおよびリモコン受信回路などからなり、利用者によるカラオケ装置Ｋ１のパネルスイッチあるいはリモコン装置６０の操作に応じて選曲信号、演奏中止信号などの操作信号を制御部２１に対して出力する。制御部２１は、操作部２６からの操作信号を検出し、対応する処理を実行する。
【００３６】
ここで、図３に示すように、本実施形態に係る制御部２１は歌唱評価部２１ａ及び履歴処理部２１ｂとして機能する。
【００３７】
歌唱評価部２１ａは、利用者によるカラオケ歌唱を評価し、採点結果を取得する。カラオケ歌唱の評価は公知の手法を用いることができる。たとえば、マイク５０により入力された歌唱音声から抽出した歌唱音声データと、カラオケ演奏された楽曲の主旋律を示すリファレンスデータとを比較することにより行う。
【００３８】
履歴処理部２１ｂは、カラオケ演奏された楽曲を識別するための楽曲識別情報と、カラオケ歌唱を行った演奏時刻を含む時間情報と、当該カラオケ演奏に伴うカラオケ歌唱を評価した採点結果とを含む歌唱履歴を記憶させる。
【００３９】
カラオケ装置Ｋ１を利用する利用者Ｕ１は、リモコン装置６０等を介してカラオケ歌唱を行う楽曲を選曲する。カラオケ装置Ｋ１は、選曲された順に楽曲データを記憶部２３から読み出し、カラオケ演奏を行う。利用者Ｕ１は、カラオケ演奏に合わせてカラオケ歌唱を行う。歌唱評価部２１ａは、カラオケ歌唱を評価し、採点結果を取得する。
【００４０】
履歴処理部２１ｂは、利用者Ｕ１のカラオケ歌唱を評価した採点結果に、カラオケ歌唱を行った演奏時刻を含む時間情報と、カラオケ演奏された楽曲の楽曲ＩＤとを関連付けて、歌唱履歴として記憶部２３に記憶させる。履歴処理部２１ｂは、各利用者がカラオケ歌唱を行う都度、歌唱履歴を記憶部２３に記憶させる。なお、時間情報には、カラオケ歌唱を行った年月日が含まれてもよい。また、歌唱履歴には、楽曲データに含まれる楽曲名、歌手名等の情報が含まれていてもよい。
【００４１】
＝＝サーバ装置＝＝
図４はサーバ装置Ｓのハードウェア構成例を示す図である。サーバ装置Ｓは、記憶部７０、通信部７１、及び制御部７２を備える。各構成はインターフェース（図示なし）を介してバスＢに接続されている。
【００４２】
記憶部７０は、楽曲データや利用者に関する情報等、各種のデータを記憶する大容量の記憶装置である。本実施形態に係る記憶部７０は、サーバ装置Ｓが管理する複数のカラオケ店舗の住所データを含む住所リスト、及びカラオケ店舗に対して設置されているカラオケ装置を管理するカラオケ装置リスト(図示なし)を記憶している。図５に示すように、住所リストに含まれる各住所データは、たとえば、カラオケ店舗を識別するための店舗識別情報（店舗ＩＤ）、店舗名、及び住所を含む。
【００４３】
通信部７１は、サーバ装置Ｓと各カラオケ装置及び各携帯端末とを接続するためのインターフェースを提供する。制御部７２は、サーバ装置Ｓにおける各種の制御を行う。図４に示すように、本実施形態に係る制御部７２は、第１の特定部７２ａ、生成部７２ｂ、指示部７２ｃ、第２の特定部７２ｄ、及び転送部７２ｅとして機能する。
【００４４】
［第１の特定部］
第１の特定部７２ａは、利用者が所有する携帯端末で取得された、当該利用者の所在を示す利用者位置情報に基づいて、当該利用者が滞在している一のカラオケ店舗を特定する。
【００４５】
たとえば、利用者Ｕ１は、カラオケ店舗Ｌ１の部屋Ｒ１に入室した後、携帯端末Ｍ１でカラオケアプリを起動したとする。この場合、携帯端末Ｍ１の位置取得部１５ａは、ＧＰＳを利用して、利用者Ｕ１の利用者位置情報を取得する。送受信処理部１５ｃは、サーバ装置Ｓに対して利用者位置情報を送信する。
【００４６】
第１の特定部７２ａは、受信した利用者位置情報を住所データに変換する。利用者位置情報を住所に変換する方法は公知の手法を利用できる。第１の特定部７２ａは、変換した住所データを記憶部７０に記憶されている住所リストと照合し、住所リストに含まれる複数のカラオケ店舗の中から一のカラオケ店舗（上記例であればカラオケ店舗Ｌ１）を特定する。
【００４７】
［生成部］
生成部７２ｂは、携帯端末で集音されたカラオケ演奏音に基づいて、カラオケ演奏中の楽曲を順次特定し、演奏リストを生成する。
【００４８】
上記例において、カラオケ店舗Ｌ１の部屋Ｒ１に入室した利用者Ｕ１は、携帯端末Ｍ１においてカラオケアプリを起動させた状態で、カラオケ歌唱を行う。この場合、携帯端末Ｍ１の集音処理部１５ｂは、集音部１４を制御し、カラオケ演奏音を集音させる。送受信処理部１５ｃは、サーバ装置Ｓに対して集音したカラオケ演奏音を送信する。
【００４９】
カラオケ演奏音を受信した場合、生成部７２ｂは、カラオケ演奏音を解析し、カラオケ演奏中の楽曲を特定する。カラオケ演奏中の楽曲を特定する方法は、公知の手法を利用できる。たとえば、生成部７２ｂは、カラオケ演奏音を音符情報に変換し、音符情報に変換された楽曲を複数に分割して音楽片を生成し、記憶部７０に記憶された楽曲データのうち、当該音楽片を含む楽曲を特定する（詳細は特開２０００−１７２６９３号公報の記載を援用する）。
【００５０】
一般に、各カラオケ装置でカラオケ演奏可能な楽曲は、サーバ装置Ｓから配信される楽曲である。従って、生成部７２ｂは、カラオケ演奏音を解析することにより、一の楽曲を特定できる。
【００５１】
生成部７２ｂは、カラオケ演奏音が送信される都度、カラオケ演奏中の楽曲を順次特定する。そして、生成部７２ｂは、特定した楽曲を時系列に並べた演奏リストを生成する。演奏リストは、利用者が一のカラオケ装置を利用中にカラオケ演奏された楽曲を示すものである。
【００５２】
図６は、利用者Ｕ１及び利用者Ｕ２が図１に示したカラオケ装置Ｋ１を利用してカラオケ歌唱を行った楽曲の演奏リストの例を示している。この演奏リストは、時間情報に基づいて、カラオケ演奏された楽曲の楽曲ＩＤ及び楽曲名が時系列に記録されている。
【００５３】
［指示部］
指示部７２ｃは、一のカラオケ店舗が特定された後に、第１の特定部７２ａにより、当該一のカラオケ店舗が特定できなくなった場合、当該一のカラオケ店舗に設置されている複数のカラオケ装置に対し、演奏リストに含まれる最初の楽曲のカラオケ歌唱の時間情報が示す演奏時刻以降に記憶された歌唱履歴を送信するよう指示する。
【００５４】
第１の特定部７２ａは、携帯端末から利用者位置情報を受信する都度、カラオケ店舗の特定を行う。
【００５５】
ここで、上記例において、カラオケ装置Ｋ１を利用した利用者Ｕ１及び利用者Ｕ２が、カラオケ歌唱を終えてカラオケ店舗Ｌ１から退店するとする。利用者Ｕ１の退店に伴い、携帯端末Ｍ１の位置取得部１５ａが取得する位置情報は、カラオケ店舗Ｌ１の位置情報とは異なるものとなる。この場合、送受信処理部１５ｃは、新たに取得した利用者位置情報（カラオケ店舗Ｌ１以外の位置を示す情報）をサーバ装置Ｓに送信する。
【００５６】
利用者Ｕ１はカラオケ店舗Ｌ１から退店しているため、新たに取得した利用者位置情報に対応するカラオケ店舗は存在しない。従って、第１の特定部７２ａは、カラオケ店舗を特定することができない。この場合、第１の特定部７２ａは、その旨の信号を指示部７２ｃに出力する。
【００５７】
指示部７２ｃは、利用者Ｕ１が滞在していたカラオケ店舗Ｌ１に設置されているカラオケ装置Ｋ１〜カラオケ装置Ｋ３に対し、各カラオケ装置が記憶している歌唱履歴のうち、演奏リストに含まれる最初の楽曲のカラオケ歌唱の時間情報が示す演奏時刻以降に記憶された歌唱履歴を送信するよう指示する。
【００５８】
たとえば、指示部７２ｃは、演奏リストに含まれる最初の楽曲の時間情報を送信する。
【００５９】
各カラオケ装置は、指示部７２ｃの指示に基づいて、記憶部２３に記憶している歌唱履歴から、対応する歌唱履歴を読み出し、サーバ装置Ｓに送信する。
【００６０】
［第２の特定部］
第２の特定部７２ｄは、受信した複数の歌唱履歴の中から、演奏リストと一致する一の歌唱履歴を特定する。
【００６１】
第２の特定部７２ｄは、受信した複数の歌唱履歴に含まれる楽曲の楽曲ＩＤと演奏リストに含まれる楽曲の楽曲ＩＤとを順番に照合することで、演奏リストに含まれる楽曲と同じ楽曲を、同じ順番でカラオケ演奏された歌唱履歴を特定する。すなわち、演奏リストと歌唱履歴の一致は、カラオケ演奏された楽曲を特定するための情報（楽曲ＩＤ、楽曲名等）及びカラオケ演奏の順番により判断される。
【００６２】
上記例であれば、利用者Ｕ１及び利用者Ｕ２は、カラオケ装置Ｋ１を利用してカラオケ歌唱を行っている。この場合、カラオケ装置Ｋ１から送信された歌唱履歴が演奏リストと一致する。
【００６３】
なお、一般に、あるカラオケ店舗におけるカラオケ装置は、複数の利用者やグループが順次利用する。よって、上記例において利用者Ｕ１等が退店した後、すぐに他のグループがカラオケ歌唱を行う場合もありうる。その場合、記憶部２３には、利用者Ｕ１等が退店した以降の歌唱履歴が記憶されることとなる。よって、カラオケ装置から受信した歌唱履歴には、利用者Ｕ１等以外の歌唱履歴も含まれる場合がある。
【００６４】
このような場合、第２の特定部７２ｄは、受信した歌唱履歴の中から、演奏リストと一致する履歴のみを抽出し、それを一の歌唱履歴として特定する。図７は、図６の演奏リストと一致する歌唱履歴の例を示している。
【００６５】
［転送部］
転送部７２ｅは、特定した一の歌唱履歴を、利用者の携帯端末に転送する。転送する携帯端末は、利用者位置情報と併せて携帯端末から受信した、端末ＩＤにより特定することができる。
【００６６】
一の歌唱履歴を受信した携帯端末は、カラオケアプリを介して当該新たな歌唱履歴をディスプレイに表示できる。そのため、利用者は、自己の携帯端末において自己の歌唱履歴を閲覧することができる。なお、一のカラオケ装置を複数人で利用している場合、カラオケアプリを起動している各利用者の携帯端末に対し、全ての利用者の歌唱履歴が転送される。この場合であっても、各利用者は、楽曲名等から自己の歌唱履歴を特定し、閲覧することができる。また、図１の例において利用者Ｕ１と利用者Ｕ２が同時に退店した場合、カラオケシステム１は、携帯端末Ｍ２からの指示で上記と同様の処理を実行し、携帯端末Ｍ２に携帯端末Ｍ１と同じ歌唱履歴を送信する。従って、利用者Ｕ２は自己の携帯端末で利用者Ｕ１と同様の歌唱履歴を閲覧できる。
【００６７】
＝＝カラオケシステムにおける処理について＝＝
次に、図８を参照して本実施形態に係るカラオケシステム１における処理の具体例について述べる。図８は、カラオケシステム１における処理例を示すフローチャートである。この例では、利用者Ｕ１が、カラオケ店舗Ｌ１の部屋Ｒ１に入室した後、携帯端末Ｍ１でカラオケアプリを起動したとする。また、携帯端末Ｍ１の位置取得部１５ａは、利用者Ｕ１の所在を示す利用者位置情報を取得し、送受信処理部１５ｃは、取得した利用者位置情報を端末ＩＤと併せてサーバ装置Ｓに送信したとする。
【００６８】
第１の特定部７２ａは、携帯端末Ｍで取得された利用者位置情報に基づいて、利用者Ｕ１が滞在しているカラオケ店舗Ｌ１を特定する（カラオケ店舗の特定。ステップ１０）。
【００６９】
利用者Ｕ１は、部屋Ｒ１でカラオケ装置Ｋ１を利用してカラオケ歌唱を開始する。カラオケ装置Ｋ１の履歴処理部２１ｂは、利用者Ｕ１のカラオケ歌唱に伴い、カラオケ演奏された楽曲の楽曲識別情報と、カラオケ歌唱を行った演奏時刻を含む時間情報と、当該カラオケ演奏に伴うカラオケ歌唱を評価した採点結果とを含む歌唱履歴を記憶させる（歌唱履歴の記憶。ステップ１１）。
【００７０】
利用者Ｕ１がカラオケ歌唱を行っている際、携帯端末Ｍ１の集音処理部１５ｂは、集音部１４を制御し、利用者Ｕ１のカラオケ演奏音を集音させる。送受信処理部１５ｃは、集音したカラオケ演奏音をサーバ装置Ｓに送信する。
【００７１】
生成部７２ｂは、携帯端末Ｍ１で集音されたカラオケ演奏音に基づいて、カラオケ演奏中の楽曲を順次特定し、利用者Ｕ１がカラオケ装置Ｋ１を利用中にカラオケ演奏された楽曲の演奏リストを生成する（演奏リストの生成。ステップ１２）。
【００７２】
その後、利用者Ｕ１がカラオケ歌唱を終えて、カラオケ店舗Ｌ１を退店したとする。この場合、第１の特定部７２ａは、利用者Ｕ１が滞在しているカラオケ店舗を特定できなくなる。
【００７３】
カラオケ店舗の特定が出来なくなった場合（ステップ１３でＹの場合）、指示部７２ｃは、ステップ１０で特定されたカラオケ店舗Ｌ１に設置されている複数のカラオケ装置に対し、ステップ１２で生成した演奏リストに含まれる最初の楽曲のカラオケ歌唱の時間情報が示す演奏時刻以降に記憶された歌唱履歴を送信するよう指示する（歌唱履歴の送信指示。ステップ１４）。カラオケ装置Ｋ１は、ステップ１４の指示に基づいて歌唱履歴を送信する（歌唱履歴の送信。ステップ１５）。なお、カラオケ店舗Ｌ１に設置されている他のカラオケ装置も同様に、歌唱履歴を送信する。
【００７４】
第２の特定部７２ｄは、受信した複数の歌唱履歴の中から、ステップ１２で生成した演奏リストと一致する一の歌唱履歴を特定する（歌唱履歴の特定。ステップ１６）。
【００７５】
転送部７２ｅは、ステップ１６で特定した歌唱履歴を、利用者Ｕ１の携帯端末Ｍ１に転送する（歌唱履歴の転送。ステップ１７）。
【００７６】
以上から明らかなように、本実施形態に係るカラオケシステム１は、複数のカラオケ装置とサーバ装置Ｓとが通信可能に接続されている。各カラオケ装置は、カラオケ演奏された楽曲を識別するための楽曲識別情報と、カラオケ歌唱を行った演奏時刻を含む時間情報と、当該カラオケ演奏に伴うカラオケ歌唱を評価した採点結果とを含む歌唱履歴を記憶させる履歴処理部２１ｂを有する。サーバ装置Ｓは、利用者が所有する携帯端末で取得された、当該利用者の所在を示す利用者位置情報に基づいて、当該利用者が滞在している一のカラオケ店舗を特定する第１の特定部７２ａと、携帯端末で集音されたカラオケ演奏音に基づいて、カラオケ演奏中の楽曲を順次特定し、利用者が一のカラオケ装置を利用中にカラオケ演奏された楽曲の演奏リストを生成する生成部７２ｂと、一のカラオケ店舗が特定された後に、第１の特定部７２ａにより、当該一のカラオケ店舗が特定できなくなった場合、当該一のカラオケ店舗に設置されている複数のカラオケ装置に対し、演奏リストに含まれる最初の楽曲のカラオケ歌唱の時間情報が示す演奏時刻以降に記憶された歌唱履歴を送信するよう指示する指示部７２ｃと、受信した複数の歌唱履歴の中から、演奏リストと一致する一の歌唱履歴を特定する第２の特定部７２ｄと、特定した一の歌唱履歴を、利用者の携帯端末に転送する転送部７２ｅと、を有する。
【００７７】
このようなカラオケシステム１によれば、利用者の携帯端末から得られる利用者位置情報及びカラオケ演奏音を利用し、当該利用者のカラオケ歌唱に伴う歌唱履歴を、カラオケ店舗の退店後に携帯端末上で閲覧することができる。従って、利用者は、歌唱履歴を閲覧するために、わざわざカラオケシステム１にログインする必要がない。すなわち、本実施形態に係るカラオケシステム１によれば、ログインせずにカラオケ歌唱を行った利用者が、歌唱履歴を閲覧することを可能とする。
【００７８】
＜変形例１＞
上記実施形態では、利用者がカラオケ店舗から退店した後、歌唱履歴を閲覧可能とする構成について説明した。一方、利用者によっては、カラオケ装置を利用している途中で歌唱履歴を閲覧したいと考える者もいる。そこで、本変形例に係るカラオケシステム１は、カラオケ装置を利用中の利用者（カラオケシステム１にログインしていない利用者）に対して、歌唱履歴を閲覧することを可能とする。
【００７９】
たとえば、利用者Ｕ１がカラオケ装置Ｋ１を利用している最中に歌唱履歴を閲覧したいと考えたとする。この場合、利用者Ｕ１は、カラオケアプリが起動している携帯端末Ｍ１で専用のメニューを選択し、歌唱履歴の閲覧を要求する旨の操作入力を行う。
【００８０】
携帯端末Ｍ１の送受信処理部１５ｃは、当該操作入力を受け付けた場合、位置取得部１５ａで取得した利用者位置情報を送信する代わりに、利用者位置情報が示す位置とは異なる位置を示す所定の位置情報をサーバ装置Ｓに送信する。所定の位置情報は、サーバ装置Ｓが管理しているカラオケ店舗の住所リストに含まれないものである。所定の位置情報は、たとえばサーバ装置Ｓが設置されている会社の位置である。
【００８１】
このような所定の位置情報を受信した場合、第１の特定部７２ａは、利用者が滞在しているカラオケ店舗の特定ができなくなる。
【００８２】
よって、指示部７２ｃは、利用者が滞在していたカラオケ店舗に設置されている複数のカラオケ装置に対し、演奏リストに含まれる最初の楽曲のカラオケ歌唱の時間情報が示す演奏時刻以降に記憶された歌唱履歴を送信するよう指示する。以降、上記実施形態と同様に、第２の特定部７２ｄは、受信した複数の歌唱履歴の中から、演奏リストと一致する一の歌唱履歴を特定する。転送部７２ｅは、特定した一の歌唱履歴を、利用者の携帯端末に転送する。
【００８３】
このように、本変形例に係るカラオケシステム１は、携帯端末を含む。携帯端末は、利用者から歌唱履歴の閲覧を要求する旨の操作入力を受けた場合、利用者位置情報が示す位置とは異なる位置を示す所定の位置情報をサーバ装置Ｓに送信する送受信処理部１５ｃを有する。
【００８４】
このようなカラオケシステム１によれば、利用者がカラオケ装置を利用している途中であっても歌唱履歴を閲覧することが可能となる。
【００８５】
＜変形例２＞
上記実施形態では、カラオケ装置Ｋ１を利用者Ｕ１及び利用者Ｕ２で利用する例について述べた。このように複数の利用者でカラオケ歌唱を行った場合、各利用者の携帯端末に対して転送される歌唱履歴には、利用者を区別することなくカラオケ歌唱を行った順番に履歴が含まれている。そこで、本変形例では、一の歌唱履歴に複数の利用者の履歴が含まれている場合に、各利用者が自己の歌唱履歴を閲覧し易くする例について述べる。
【００８６】
本変形例において、集音処理部１５ｂは、集音部１４を制御し、カラオケ演奏音と併せてカラオケ歌唱音を集音させる。カラオケ歌唱音は、利用者がカラオケ歌唱を行った際に発生される音である。カラオケ歌唱音の集音は、たとえばカラオケアプリを起動した時点で開始し、新たな利用者位置情報が出力されるまで、連続して行う。集音処理部１５ｂは、集音したカラオケ演奏音とカラオケ歌唱音を送受信処理部１５ｃに出力する。送受信処理部１５ｃは、集音部１４で集音されたカラオケ演奏音及びカラオケ歌唱音をサーバ装置Ｓに送信する。
【００８７】
生成部７２ｂは、携帯端末で集音された利用者のカラオケ歌唱音から声紋情報を取得し、特定された楽曲毎に関連付けて演奏リストを生成する。
【００８８】
声紋情報は、利用者の声を特定するための情報（たとえばフォルマントデータ）である。カラオケ歌唱音から利用者の声紋情報を取得する方法は、公知の手法（たとえば特開２００８−１６５０７９号公報）を用いることができる。
【００８９】
声紋情報としてフォルマントデータを取得した場合、生成部７２ｂは、各楽曲の楽曲ＩＤに対してフォルマントデータを関連付けて演奏リストを生成する。楽曲に関連付けられたフォルマントデータが一致する場合、当該楽曲は同じ利用者によりカラオケ歌唱された楽曲である。図９は、演奏リストの一例である。
【００９０】
指示部７２ｃは、一のカラオケ店舗が特定された後に、第１の特定部７２ａにより、当該一のカラオケ店舗が特定できなくなった場合、当該一のカラオケ店舗に設置されている複数のカラオケ装置に対し、演奏リストに含まれる最初の楽曲のカラオケ歌唱の時間情報が示す演奏時刻以降に記憶された歌唱履歴を送信するよう指示する。
【００９１】
第２の特定部７２ｄは、受信した複数の歌唱履歴の中から、演奏リストと一致する一の歌唱履歴を特定した後、一の歌唱履歴に含まれる履歴を声紋情報が共通する履歴毎にまとめる。図１０は、図９の演奏リストと一致する歌唱履歴について、声紋情報が共通する履歴毎をまとめた例を示している。
【００９２】
或いは、一の歌唱履歴に含まれる履歴を声紋情報が共通する履歴毎にまとめる処理を転送部７２ｅが行ってもよい。
【００９３】
このように、本変形例に係るカラオケシステム１における生成部７２ｂは、携帯端末で集音された利用者のカラオケ歌唱音から声紋情報を取得し、特定された楽曲毎に関連付けて演奏リストを生成する。また携帯端末に送信される一の歌唱履歴は、声紋情報に基づいて利用者毎にまとめられている。
【００９４】
従って、一の歌唱履歴中に複数の利用者による履歴が混在する場合であっても、各利用者は自己の歌唱履歴を閲覧し易くなる。
【００９５】
＜第２実施形態＞
次に、図１１〜図１３を参照して、第２実施形態に係るカラオケシステムについて説明する。第１実施形態では、サーバ装置Ｓにおいて、各カラオケ装置から送信された複数の歌唱履歴の中から、演奏リストと一致する一の歌唱履歴を特定する例について述べた。一方、カラオケ装置側で一の歌唱履歴を特定することも可能である。なお、第１実施形態と同様の構成については詳細な説明を省略する。
【００９６】
＝＝サーバ装置＝＝
図１１はサーバ装置Ｓのハードウェア構成例を示す図である。本実施形態に係る制御部７２は、第１の特定部７２ａ、生成部７２ｂ、転送部７２ｅ、及びリスト送信部７２ｆとして機能する。
【００９７】
［リスト送信部］
リスト送信部７２ｆは、一のカラオケ店舗が特定された後に、第１の特定部７２ａにより、当該一のカラオケ店舗が特定できなくなった場合、当該一のカラオケ店舗に設置されている複数のカラオケ装置に対して演奏リストを送信する。
【００９８】
たとえば、第１実施形態と同様、カラオケ装置Ｋ１を利用した利用者Ｕ１等が、カラオケ歌唱を終えてカラオケ店舗Ｌ１から退店するとする。この場合、第１実施形態で述べたように、第１の特定部７２ａは、カラオケ店舗を特定することができなくなる。本変形例において、第１の特定部７２ａは、その旨の信号をリスト送信部７２ｆに出力する。
【００９９】
リスト送信部７２ｆは、利用者Ｕ１等が滞在していたカラオケ店舗Ｌ１に設置されているカラオケ装置Ｋ１〜カラオケ装置Ｋ３に対し、演奏リストを送信する。
【０１００】
［転送部］
本変形例に係る転送部７２ｅは、カラオケ装置から受信した一の歌唱履歴（後述）を、利用者の携帯端末に転送する。
【０１０１】
＝＝カラオケ装置＝＝
図１２に示すように、本実施形態に係るカラオケ装置Ｋ１の制御部２１は歌唱評価部２１ａ、履歴処理部２１ｂ、及び履歴送信部２１ｃとして機能する。
【０１０２】
［履歴送信部］
履歴送信部２１ｃは、受信した演奏リストと一致する一の歌唱履歴が特定された場合、当該一の歌唱履歴をサーバ装置Ｓに送信する。
【０１０３】
サーバ装置Ｓのリスト送信部７２ｆから演奏リストを受信した場合、履歴送信部２１ｃは、記憶部２３に記憶されている歌唱履歴と演奏リストとの照合を行う。歌唱履歴と演奏リストとの照合は、たとえば、歌唱履歴の楽曲ＩＤと演奏リストの楽曲ＩＤが一致するかにより照合することができる。
【０１０４】
照合した結果、一致する歌唱履歴が記憶されている場合、履歴送信部２１ｃは、当該歌唱履歴をサーバ装置Ｓに送信する。
【０１０５】
＝＝カラオケシステムにおける処理について＝＝
次に、図１３を参照して本実施形態に係るカラオケシステム１における処理の具体例について述べる。図１３は、カラオケシステム１における処理例を示すフローチャートである。この例では、利用者Ｕ１が、カラオケ店舗Ｌ１の部屋Ｒ１に入室した後、携帯端末Ｍ１でカラオケアプリを起動したとする。また、携帯端末Ｍ１の位置取得部１５ａは、利用者Ｕ１の所在を示す利用者位置情報を取得し、送受信処理部１５ｃは、取得した利用者位置情報を端末ＩＤと併せてサーバ装置Ｓに送信したとする。
【０１０６】
第１の特定部７２ａは、携帯端末Ｍで取得された利用者位置情報に基づいて、利用者Ｕ１が滞在しているカラオケ店舗Ｌ１を特定する（カラオケ店舗の特定。ステップ２０）。
【０１０７】
利用者Ｕ１は、部屋Ｒ１でカラオケ装置Ｋ１を利用してカラオケ歌唱を開始する。カラオケ装置Ｋ１の履歴処理部２１ｂは、利用者Ｕ１のカラオケ歌唱に伴い、カラオケ演奏された楽曲の楽曲識別情報と、当該カラオケ演奏に伴うカラオケ歌唱を評価した採点結果とを含む歌唱履歴を記憶させる（歌唱履歴の記憶。ステップ２１）。
【０１０８】
利用者Ｕ１がカラオケ歌唱を行っている際、携帯端末Ｍ１の集音処理部１５ｂは、集音部１４を制御し、利用者Ｕ１のカラオケ演奏音を集音させる。送受信処理部１５ｃは、集音したカラオケ演奏音をサーバ装置Ｓに送信する。
【０１０９】
生成部７２ｂは、携帯端末Ｍ１で集音されたカラオケ演奏音に基づいて、カラオケ演奏中の楽曲を順次特定し、利用者Ｕ１がカラオケ装置Ｋ１を利用中にカラオケ演奏された楽曲の演奏リストを生成する（演奏リストの生成。ステップ２２）。
【０１１０】
その後、利用者Ｕ１がカラオケ歌唱を終えて、カラオケ店舗Ｌ１を退店したとする。この場合、第１の特定部７２ａは、利用者Ｕ１が滞在しているカラオケ店舗Ｌ１を特定できなくなる。
【０１１１】
カラオケ店舗Ｌ１の特定が出来なくなった場合（ステップ２３でＹの場合）、リスト送信部７２ｆは、カラオケ店舗Ｌ１に設置されている複数のカラオケ装置に対して、ステップ２２で生成した演奏リストを送信する（演奏リストの送信。ステップ２４）。
【０１１２】
各カラオケ装置の履歴送信部２１ｃは、受信した演奏リストと一致する一の歌唱履歴の有無を判断する。この例において、カラオケ装置Ｋ１の履歴送信部２１ｃは、受信した演奏リストと一致する一の歌唱履歴を特定する（歌唱履歴の特定。ステップ２５）。
【０１１３】
この場合、カラオケ装置Ｋ１の履歴送信部２１ｃは、一の歌唱履歴をサーバ装置Ｓに送信する（歌唱履歴の送信。ステップ２６）。
【０１１４】
転送部７２ｅは、受信した歌唱履歴を、利用者Ｕ１の携帯端末Ｍ１に転送する（歌唱履歴の転送。ステップ２７）。
【０１１５】
以上から明らかなように、本実施形態に係るカラオケシステム１は、複数のカラオケ装置とサーバ装置Ｓとが通信可能に接続されている。サーバ装置Ｓは、利用者が所有する携帯端末で取得された、当該利用者の所在を示す利用者位置情報に基づいて、当該利用者が滞在している一のカラオケ店舗を特定する第１の特定部７２ａと、携帯端末で集音されたカラオケ演奏音に基づいて、カラオケ演奏中の楽曲を順次特定し、利用者が一のカラオケ装置を利用中にカラオケ演奏された楽曲の演奏リストを生成する生成部７２ｂと、一のカラオケ店舗が特定された後に、第１の特定部７２ａにより、当該一のカラオケ店舗が特定できなくなった場合、当該一のカラオケ店舗に設置されている複数のカラオケ装置に対して演奏リストを送信するリスト送信部７２ｆと、を有する。各カラオケ装置は、カラオケ演奏された楽曲を識別するための楽曲識別情報と、当該カラオケ演奏に伴うカラオケ歌唱を評価した採点結果とを含む歌唱履歴を記憶させる履歴処理部２１ｂと、受信した演奏リストと一致する一の歌唱履歴が特定された場合、当該一の歌唱履歴をサーバ装置Ｓに送信する履歴送信部２１ｃと、を有する。更に、サーバ装置Ｓは、受信した一の歌唱履歴を、利用者の携帯端末に転送する転送部７２ｅを有する。
【０１１６】
このようなカラオケシステム１によれば、第１実施形態と同様、利用者の携帯端末から得られる利用者位置情報及びカラオケ演奏音を利用し、当該利用者のカラオケ歌唱に伴う歌唱履歴を、カラオケ店舗の退店後に携帯端末上で閲覧することができる。従って、利用者は、歌唱履歴を閲覧するために、わざわざカラオケシステム１にログインする必要がない。すなわち、本実施形態に係るカラオケシステム１によっても、ログインせずにカラオケ歌唱を行った利用者が、歌唱履歴を閲覧することを可能とする。
【０１１７】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１１８】
１  カラオケシステム
２１ｂ  履歴処理部
７２ａ  第１の特定部
７２ｂ  生成部
７２ｃ  指示部
７２ｄ  第２の特定部
７２ｅ  転送部
Ｋ１〜Ｋ３  カラオケ装置
Ｓ  サーバ装置
【図１】
2020086314.tif 000003
【図２】
2020086314.tif 000004
【図３】
2020086314.tif 000005
【図４】
2020086314.tif 000006
【図５】
2020086314.tif 000007
【図６】
2020086314.tif 000008
【図７】
2020086314.tif 000009
【図８】
2020086314.tif 000010
【図９】
2020086314.tif 000011
【図１０】
2020086314.tif 000012
【図１１】
2020086314.tif 000013
【図１２】
2020086314.tif 000014
【図１３】
2020086314.tif 000015